(57)【要約】【課題】メンテナンスの容易性を実現した埋め込み型の熱交換換気装置を得ることを目的とする。【解決手段】送風機側開口部１５ａは、吹出口側側面１ｃと内部風路仕切り部品３７との間に形成され、給気送風機ユニット９及び排気送風機ユニット１１は、吹出口側側面１ｃと内部風路仕切り部品３７との間に設けられ、それらを空間的に隔離する着脱可能な排気送風機メンテナンスパネル１７を挟んで、吹出口側側面１ｃ及び内部風路仕切り部品３７と略平行に並んで配置されており、送風機側開口部１５ａからケーシング１外へ取り外し可能、及び送風機側開口部１５ａから前記ケーシング１内へ取り付け可能である。【選択図】図１
2014092324.tif 000002
【特許請求の範囲】
【請求項１】
室外側吸込口及び室内側吸込口が形成された吸込口側側面と、前記吸込口側側面と対向し、室外側吹出口及び室内側吹出口が形成された吹出口側側面と、前記吸込口側側面側に形成された熱交換器側開口部及び前記吹出口側側面側に形成された送風機側開口部を有する室内側側面と、前記室内側側面と対向する室外側側面と、を有する箱体のケーシングと、
前記室外側吸込口を入口端とし、前記ケーシング内を経て前記室内側吹出口を出口端とし、室外の空気を室内へ給気する給気路と、
前記室内側吸込口を入口端とし、前記ケーシング内を経て前記室外側吹出口を出口端とし、室内の空気を室外へ排気する排気路と、
前記ケーシング内に、前記吸込口側側面及び前記吹出口側側面と略平行であり、かつ、前記室内側側面及び前記室外側側面と接するように設けられた内部風路仕切り部品と、
前記給気路を通過する給気流を形成する給気送風機ユニットと、
前記排気路を通過する排気流を形成する排気送風機ユニットと、
前記吸込口側側面と前記内部風路仕切り部品との間に設けられ、前記給気流と前記排気流との間で熱交換を行う、前記熱交換器側開口部から着脱可能な熱交換器と、
前記送風機側開口部を塞ぐ給気送風機メンテナンスパネルと、を備えた熱交換換気装置であって、
前記送風機側開口部は、
前記吹出口側側面と前記内部風路仕切り部品との間に形成され、
前記給気送風機ユニット及び前記排気送風機ユニットは、
前記吹出口側側面と前記内部風路仕切り部品との間に設けられ、それらを空間的に隔離する着脱可能な排気送風機メンテナンスパネルを挟んで、前記吹出口側側面及び前記内部風路仕切り部品と略平行に並んで配置されており、前記送風機側開口部から前記ケーシング外へ取り外し可能、及び前記送風機側開口部から前記ケーシング内へ取り付け可能である
ことを特徴とする熱交換換気装置。
【請求項２】
前記吹出口側側面は前記内部風路仕切り部品側に、
前記給気送風機ユニットの下端部及び前記排気送風機ユニットの下端部を支持し、前記給気送風機ユニット及び前記排気送風機ユニットをスライド移動させるためのレール部品Ａが設けられており、
前記内部風路仕切り部品は前記吹出口側側面側に、
前記給気送風機ユニットの下端部及び前記排気送風機ユニットの下端部を支持し、前記給気送風機ユニット及び前記排気送風機ユニットをスライド移動させるためのレール部品Ｂが設けられており、
前記レール部品Ａ及び前記レール部品Ｂは、
前記室内側側面及び前記室外側側面と略垂直である
ことを特徴とする請求項１に記載の熱交換換気装置。
【請求項３】
前記吹出口側側面と、前記レール部品Ａとの間にはレール溝Ａが形成されており、
前記内部風路仕切り部品と、前記レール部品Ｂとの間にはレール溝Ｂが形成されており、
前記給気送風機ユニットの下端部及び前記排気送風機ユニットの下端部には、
前記レール部品Ａに支持される際に、前記レール溝Ａに嵌合される突起状の固定部曲げ箇所Ａと、
前記レール部品Ｂに支持される際に、前記レール溝Ｂに嵌合される突起状の固定部曲げ箇所Ｂとが、それぞれ設けられている
ことを特徴とする請求項２に記載の熱交換換気装置。
【請求項４】
前記レール部品Ａ及び前記レール部品Ｂは、
前記給気送風機ユニットの下端部及び前記排気送風機ユニットの下端部を支持するために、それぞれ２つ設けられており、
２つの前記レール部品Ａの間隔は、
前記固定部曲げ箇所Ａの長さよりも短く、
２つの前記レール部品Ｂの間隔は、
前記固定部曲げ箇所Ｂの長さよりも短い
ことを特徴とする請求項３に記載の熱交換換気装置。
【請求項５】
前記レール部品Ｂは、
前記室外側吹出口及び前記室内側吹出口の近傍にそれぞれ設けられている
ことを特徴とする請求項２〜４のいずれかに記載の熱交換換気装置。
【請求項６】
天井裏に設置される
ことを特徴とする請求項１〜５のいずれかに記載の熱交換換気装置。
【発明の詳細な説明】
【技術分野】
【０００１】
本発明は、内蔵した熱交換器を通じて給排気流間で熱交換をしながら給排気による換気を行えるようにした熱交換換気装置に関するものである。
【背景技術】
【０００２】
熱交換換気装置は、空気対空気での熱交換を行う熱交換器が内蔵され、熱交換を行いながら同時給排気により換気を行うものである。
【０００３】
例えば、特許文献１には、天井裏に埋設設置される熱交換換気装置で、熱交換器を挟んで給気送風機及び排気送風機を配置したものが開示されている。
【０００４】
この種の埋め込み型の熱交換換気装置は、天井裏に完全に埋め込まれて設置されるため、熱交換換気装置のメンテナンスをするためのスペースが製品の上下面に確保しにくい。そのため、製品の側面からメンテナンスできるように構成されている。送風機にシロッコファンを用いる場合、送風機のスクロールケーシングを本体側の風路と一体に形成し、そこに羽根の付いたモータが取り付けられることで、送風機と風路とを完成させる構造がとられる。
【０００５】
そして、メンテナンス時に送風機の着脱を製品側面のメンテナンス口から簡単に行えるように、送風機の羽根部材の回転軸、つまりモータの回転軸がケーシングの底面に対して水平となるように設けられている。これにより、スクロールケーシングに対して羽根部材を容易に挿抜できるようになり、スクロールケーシングを取り外さなくても、送風機ＡＳＳＹ（羽根とモータ一体にした状態）のみを、メンテナンス口から熱交換器を取り外した後で、製品内の開口スペースに水平方向に外すことができ、天井裏の省スペースなメンテナンススペースでも十分にメンテナンスが可能となる。
【０００６】
また、特許文献２には、建物内の床に設置されて用いられる熱交換換気装置で、熱交換器を挟んで、給気送風機及び排気送風機を配置したものが開示されている。
【０００７】
この種の床置型の熱交換換気装置は、送風機のメンテナンスや交換ができるように、本体の前面や後面から送風機が着脱可能となっている場合がある。例えば、熱交換換気装置の本体の内部に、前面側と後面側とにわたって平行に一対の案内レールが設けられ、案内レール上に送風機が差し込まれる。そして、送風機は、案内レールに沿って本体の後面側へスライド移動し、本体の後面側や案内レールの後端に設けられたストッパーに固定される。
【先行技術文献】
【特許文献】
【０００８】
【特許文献１】特開平９−１３３３８６号公報（たとえば、［００１４］〜［００２３］参照）
【特許文献２】特開２０１２−７８０６３号公報（たとえば、［００１１］〜［００３５］参照）
【発明の概要】
【発明が解決しようとする課題】
【０００９】
しかしながら、特許文献１のような埋め込み型の熱交換換気装置では、各送風機のメンテナンス時に、まず製品の外装に開けられたメンテナンス口を取り外してから熱交換器を取り出し、その後上述のメンテナンス口から腕または体全体を製品の中に潜り込ませて送風機周辺のネジを外し、重量物である送風機を片手で持って取り出す必要があった。そのため、その作業は容易とはいえ重労働であった。
また、外装に開けた大きな開口部である吹出し口部分は強度的に弱い部分であり、変形しないようになっていなければならない構造であったが、特許文献１に示すような熱交換換気装置ではそこに補強するための部品は存在しない。
【００１０】
また、特許文献２のような床置型の熱交換換気装置では、送風機のスライド構造はあるものの、床置型であり天井埋め込みは不可能である。仮に天井に埋め込むことができたとしても、給気用送風機と排気用送風機の取り出し位置が大きく離れていてそれぞれの送風機に応じた位置から引き出す構造であるため、通常は天井に設けられる一つのメンテナンス口からのメンテナンス作業では双方には手が届かない。
そのため、それぞれの送風機の位置に合わせて天井にメンテナンス口を設ける必要があり、天井の意匠性を損なうという問題があった。
【００１１】
本発明は、上記に鑑みてなされたものであって、メンテナンスの容易性を実現した埋め込み型の熱交換換気装置を得ることを目的とする。
【課題を解決するための手段】
【００１２】
本発明に係る熱交換換気装置は、室外側吸込口及び室内側吸込口が形成された吸込口側側面と、前記吸込口側側面と対向し、室外側吹出口及び室内側吹出口が形成された吹出口側側面と、前記吸込口側側面側に形成された熱交換器側開口部及び前記吹出口側側面側に形成された送風機側開口部を有する室内側側面と、前記室内側側面と対向する室外側側面と、を有する箱体のケーシングと、前記室外側吸込口を入口端とし、前記ケーシング内を経て前記室内側吹出口を出口端とし、室外の空気を室内へ給気する給気路と、前記室内側吸込口を入口端とし、前記ケーシング内を経て前記室外側吹出口を出口端とし、室内の空気を室外へ排気する排気路と、前記ケーシング内に、前記吸込口側側面及び前記吹出口側側面と略平行であり、かつ、前記室内側側面及び前記室外側側面と接するように設けられた内部風路仕切り部品と、前記給気路を通過する給気流を形成する給気送風機ユニットと、前記排気路を通過する排気流を形成する排気送風機ユニットと、前記吸込口側側面と前記内部風路仕切り部品との間に設けられ、前記給気流と前記排気流との間で熱交換を行う、前記熱交換器側開口部から着脱可能な熱交換器と、前記送風機側開口部を塞ぐ給気送風機メンテナンスパネルと、を備えた熱交換換気装置であって、前記送風機側開口部は、前記吹出口側側面と前記内部風路仕切り部品との間に形成され、前記給気送風機ユニット及び前記排気送風機ユニットは、前記吹出口側側面と前記内部風路仕切り部品との間に設けられ、それらを空間的に隔離する着脱可能な排気送風機メンテナンスパネルを挟んで、前記吹出口側側面及び前記内部風路仕切り部品と略平行に並んで配置されており、前記送風機側開口部から前記ケーシング外へ取り外し可能、及び前記送風機側開口部から前記ケーシング内へ取り付け可能である。
【発明の効果】
【００１３】
本発明に係る埋め込み型の熱交換換気装置によれば、メンテナンスの容易性を実現することができる。
【図面の簡単な説明】
【００１４】
【図１】本発明の実施の形態に係る熱交換換気装置の構成を概略的に示す斜視図である。
【図２】本発明の実施の形態に係る熱交換換気装置の構成を概略的に示す平面図である。
【図３】本発明の実施の形態に係る熱交換換気装置の給気路を概略的に示す側面図である。
【図４】本発明の実施の形態に係る熱交換換気装置の排気路を概略的に示す側面図である。
【図５】本発明の実施の形態に係る熱交換換気装置の給気送風機ユニットまたは排気送風機ユニット周辺の外観斜視図である。
【図６】本発明の実施の形態に係る熱交換換気装置の給気送風機ユニットまたは排気送風機ユニットの平面図である。
【図７】本発明の実施の形態に係る熱交換換気装置の給気送風機ユニットの取り出し方と方向を示す図である。
【図８】本発明の実施の形態に係る熱交換換気装置の排気送風機ユニットの取り出し方と方向を示す図である。
【図９】本発明の実施の形態に係る熱交換換気装置の送風機側開口部から見た室内側吹出開口周辺を示す斜視図である。
【図１０】本発明の実施の形態に係る熱交換換気装置の室内側側面１ａ側から見た固定部曲げ箇所とレール部品との関係を示す拡大平面図である。
【発明を実施するための形態】
【００１５】
以下、本発明の実施の形態を図面に基づいて詳細に説明する。なお、本実施の形態によりこの発明が限定されるものではない。
実施の形態．
図１は、本発明の実施の形態に係る熱交換換気装置の構成を概略的に示す斜視図、図２は、本発明の実施の形態に係る熱交換換気装置の構成を概略的に示す平面図である。図２（Ａ）は、本発明の実施の形態に係る熱交換換気装置を上面視した平面図、図２（Ｂ）は、本発明の実施の形態に係る熱交換換気装置を側面視した平面図である。
なお、図１及び図２は熱交換換気装置の上部に取り付けられている天板をはずした状態の図である。
熱交換換気装置は、空調対象空間（たとえば、家、ビル、倉庫など）の空気を取り込んで空調対象空間外に排出するとともに、空調対象空間外の空気を取り込んで空調対象空間に供給することができるものである。なお、以下の説明においては、空調対象空間が、家の室内である場合を例に説明する。また、「室外空気」は熱交換換気装置から室内に供給される給気に対応し、「室内空気」は、熱交換換気装置から室外に排出される「排気」に対応する。
本実施の形態に係る熱交換換気装置は天井への埋め込み型であり、ケーシング１、熱交換器１４、給気送風機ユニット９、排気送風機ユニット１１、開閉ダンパー１０を備えている。
【００１６】
ケーシング１は、熱交換換気装置の外装を構成する直方体の箱体であり、その内部には、熱交換器１４、給気送風機ユニット９、排気送風機ユニット１１が組み込まれている。
ケーシング１の吸込口側側面１ｂには室外側吸込口２及び室内側吸込口４が形成され、吸込口側側面１ｂと対向する吹出口側側面１ｃには、室外側吹出口３及び室内側吹出口５が形成されている。そして、ケーシング１内には、室外側吸込口２と室外側吹出口３とを連通させて室外の空気を室内に給気する給気路６と、室内側吸込口４と室内側吹出口５とを連通させて室内の空気を室外に排気する排気路７と、が形成されている。
なお、室外側吸込口２と室外側吹出口３、及び室内側吸込口４と室内側吹出口５は、それぞれ対角線に位置している。
また、図１及び図２における矢印は、給気流または排気流の流れる方向を示している。
【００１７】
また、ケーシング１の室内側側面１ａには、熱交換器１４の出し入れを行うための熱交換器側開口部１６ａと、給気送風機ユニット９及び排気送風機ユニット１１の出し入れを行うための送風機側開口部１５ａとが形成されている。
そして、熱交換器側開口部１６ａにはそれを塞ぐ熱交換器メンテナンスパネル１６が、送風機側開口部１５ａにはそれを塞ぐ給気送風機メンテナンスパネル１５が、それぞれ取り付けられている。
【００１８】
給気路６と排気路７とは、全経路にわたり相互に隔離されるよう形成されている。また、それらの経路途中には熱交換器１４が設けられており、その配置は室内側側面１ａを正面視して左側、即ち吸込口側側面１ｂ側に配置されている。
熱交換器１４は、給気路６を通過する給気流と、排気路７を通過する排気流との間で熱交換を行わせるものである。熱交換器１４内部において、給気路６と排気路７は互いに熱交換器１４を構成する仕切り壁を介して交差している。そのため、給気路６を通過する給気流と排気路７を通過する排気流との間で、仕切り壁を介して熱交換が行われる。
【００１９】
本実施の形態に係る熱交換換気装置には、室内側から室外側に排気流を排出させるための通路として、排気路７の他に、熱交換器１４を通らない、バイパス風路８が形成されている。そして、室内側から室外側に排気流を排出させるための通路を、排気路７とバイパス風路８とで切り替えを行う開閉ダンパー１０が、熱交換器１４と給気送風機ユニット９との間に設けられている。
【００２０】
給気送風機ユニット９及び排気送風機ユニット１１は、後述するスライド方向である、吸込口側側面１ｂ及び吹出口側側面１ｃに略平行となるように並んで配置されており、室内側側面１ａを正面視して、吹出口側側面１ｃ側かつ手前側の室内側側面１ａ側に給気送風機ユニット９が、吹出口側側面１ｃ側かつ奥側の室外側側面１ｄ側に排気送風機ユニット１１が、それぞれ配置されている。さらに、給気送風機ユニット９及び排気送風機ユニット１１は、熱交換器１４から給気流及び排気流が吹出される側に位置している。
なお、給気送風機ユニット９は後述する給気送風機メンテナンスパネル１５に、排気送風機ユニット１１は後述する排気送風機メンテナンスパネル１７に、それぞれネジで固定されている。
【００２１】
また、給気送風機ユニット９に形成された給気路６と、排気送風機ユニット１１に形成された排気路７とが互いに交わらないよう、着脱可能な排気送風機メンテナンスパネル１７を吹出口側側面１ｃと内部風路仕切り部品３７とケーシング１の底面とにネジで固定し、給気送風機ユニット９と排気送風機ユニット１１とを空間的に隔離している。
なお、給気送風機ユニット９及び排気送風機ユニット１１は、吸込口側側面１ｂ及び吹出口側側面１ｃと平行に配置される内部風路仕切り部品３７によって、他の空間と仕切られてはいるが、各風路は遮断されないようになっている。
【００２２】
図３は、本発明の実施の形態に係る熱交換換気装置の給気路６を概略的に示す側面図である。
給気路６を通過する給気流は、矢印が示すように吸込口側側面１ｂに形成された室外側吸込口２からケーシング１内に流入し、熱交換器通過前給気路６ａ及び熱交換器通過後給気路６ｂを通り、その後、給気送風機ユニット通過前給気路６ｃ及び給気送風機ユニット通過後給気路６ｄを経由して、吹出口側側面１ｃに形成された室内側吹出口３から室内側に吹き出される。
【００２３】
図４は、本発明の実施の形態に係る熱交換換気装置の排気路７を概略的に示す側面図である。
排気路７を通過する排気流は、矢印が示すように吸込口側側面１ｂに形成された室内側吸込口４からケーシング内に流入し、熱交換器通過前排気路７ａ及び熱交換器通過後排気路７ｂを通り、その後、排気送風機ユニット通過前排気路７ｃ及び排気送風機ユニット通過後排気路７ｄを経由して、吹出口側側面１ｃに形成された室外側吹出口５から室内側に吹き出される。
【００２４】
なお、図３では、給気送風機ユニット通過前給気路６ｃは、給気送風機ユニット９の下側から給気流が入り込むように形成されているが、給気送風機ユニット９の上側からも入り込むように形成してもよい。
図４でも、排気送風機ユニット通過前排気路７ｃは、排気送風機ユニット１１の下側から排気流が入り込むように形成されているが、排気送風機ユニット１１の上側からも入り込むように形成してもよい。
【００２５】
図５は、本発明の実施の形態に係る熱交換換気装置の給気送風機ユニット９または排気送風機ユニット１１周辺の外観斜視図、図６は、本発明の実施の形態に係る熱交換換気装置の給気送風機ユニット９または排気送風機ユニット１１の平面図である。図６（Ａ）は、本発明の実施の形態に係る熱交換換気装置の給気送風機ユニット９または排気送風機ユニット１１を上面視した平面図、図６（Ｂ）は、本発明の実施の形態に係る熱交換換気装置の給気送風機ユニット９または排気送風機ユニット１１を側面視した断面図である。
なお、図５、図６及び後述する図１０において、同位置に符号が「，」で区切られて２つ記載されている場合は、左側が給気送風機ユニット９、右側が排気送風機ユニット１１に関する符号を表している。その他の場合は、給気送風機ユニット９及び排気送風機ユニット１１で共通の符号である。
【００２６】
給気送風機ユニット９は、スクロールケーシング３１、送風機羽根３２、風路固定部３３ａ、送風機モータ固定部３３ｂ、風路部品固定部３４ａ及び３４ｂ、送風機モータ３５から構成されている。
【００２７】
スクロールケーシング３１は、シロッコファンで構成される送風機羽根３２を内包する吸込型のベルマウス部３１ａを備え、その吹出し方向に連続する出口部３１ｂが形成された一体成形物である。
送風機モータ３５は、スクロールケーシング３１の底部に設けられた風路固定部３３ａに固定された送風機モータ固定部３３ｂに固定され、そのモータ軸３５ａは送風機羽根３２を回転可能に軸支している。
このとき、モータ軸３５ａはスクロールケーシング３１の底部から、垂直に上部方向に向かって設けられている。
【００２８】
送風機モータ３５を駆動して、送風機羽根３２が回転することによってベルマウス部３１ａから吸込まれた空気は、送風機羽根３２の回転方向に沿ってスクロールケーシング３１の出口部３１ｂから吹き出される。その出口部３１ｂから吹き出された空気は、吹出口側側面１ｃに形成された室内側吹出口３から室内側へ吹き出される。
【００２９】
なお、スクロールケーシング３１と風路固定部３３ａとは、風路部品固定部３４ａ及び３４ｂによって固定され、密着状態を形成している。そのため、ベルマウス部３１ａから吸込まれた空気は、スクロールケーシング３１の出口部３１ｂ以外に吹き出さない（漏れない）構造となっている。
【００３０】
排気送風機ユニット１１は、給気送風機ユニット９と同一構造のものであるため、説明を省略する。
【００３１】
図７は、本発明の実施の形態に係る熱交換換気装置の給気送風機ユニット９の取り出し方と方向を示す図、図８は、本発明の実施の形態に係る熱交換換気装置の排気送風機ユニット１１の取り出し方と方向を示す図、図９は、本発明の実施の形態に係る熱交換換気装置の送風機側開口部１５ａから見た室内側吹出開口３ａ周辺を示す斜視図である。
室内側側面１ａには給気送風機メンテナンスパネル１５が取り付けられており、送風機メンテナンス用のメンテナンス口である送風機側開口部１５ａを塞いでいる。
【００３２】
また、吹出口側側面１ｃには室内側吹出開口３ａ及び室外側吹出開口５ａがそれぞれ形成されており、室内側吹出開口３ａの下端を支えるレール部品３６ａと、室外側吹出開口５ａの下端を支えるレール部品３６ｂとが、それぞれ吹出口側側面１ｃの、ケーシング１内の内部風路仕切り部品３７側に設けられている。このとき、レール部品３６ａは室内側吹出開口３ａの近傍に、レール部品３６ｂは室外側吹出開口５ａの近傍に位置している。さらに、給気送風機ユニット９の平坦部４０ａの下端を支持するレール部品３６ｃと、排気送風機ユニット１１の平坦部４０ｂの下端を支持するレール部品３６ｄとが、それぞれ内部風路仕切り部品３７の、ケーシング１内の吹出口側側面１ｃ側に設けられている。
そして、レール部品３６ａ及び３６ｃで給気送風機ユニット９を、レール部品３６ｂ及び３６ｄで排気送風機ユニット１１を、下端からそれぞれ支持している。
なお、レール部品３６ａ〜３６ｄは、室内側側面１ａ及び室外側側面１ｄに略垂直となるように設けられている。
【００３３】
以下、給気送風機ユニット９及び排気送風機ユニット１１のメンテナンスを行うための取り外し方法について説明する。
まず、天井板に設けられたメンテナンス口から、給気送風機メンテナンスパネル１５に給気送風機ユニット９を固定しているネジを外し、室内側側面１ａに取り付けられた給気送風機メンテナンスパネル１５を取り外す。そして、送風機側開口部１５ａから手を入れて、室内側側面１ａ側に配置されている給気送風機ユニット９を２つのレール部品３６ａ及び３６ｃに沿って図７の矢印方向にスライドさせ、給気送風機ユニット９を送風機側開口部１５ａから取り外す。
【００３４】
給気送風機ユニット９と排気送風機ユニット１１との間に配置された排気送風機メンテナンスパネル１７は、送風機側開口部１５ａから手が届く範囲にネジで固定されている。そのため、取り外した給気送風機ユニット９の開口スペースから、そのネジと排気送風機ユニット１１を固定しているネジとを外した後で容易に取り外すことが可能となる。
【００３５】
排気送風機ユニット１１は、給気送風機ユニット９よりも奥側である室外側側面１ｄ側に配置されている。そのため、排気送風機メンテナンスパネル１７を取り外した開口部から給気送風機ユニット９が配置されていた位置まで、２つのレール部品３６ｂ及び３６ｄに沿って図８の矢印方向にスライドさせてから、給気送風機ユニット９と同様に送風機側開口部１５ａから取り外す。
【００３６】
その際、排気送風機ユニット１１が脱落してしまうのを防ぐため、レール部品３６ａとレール部品３６ｂとの間隔３８は、後述する固定部曲げ箇所３３ｃの長さよりも短くなっている。なお、内部風路仕切り部品３７に設けられた２つのレール部品３６ｃ及び３６ｄについても同様である。
【００３７】
図１０は、本発明の実施の形態に係る熱交換換気装置の室内側側面１ａ側から見た固定部曲げ箇所３３ｃとレール部品３６ａ（または３６ｂ）との関係を示す拡大平面図である。
給気送風機ユニット９及び排気送風機ユニット１１は、スライド方向（図７の矢印方向及び図８の矢印方向）以外には動かないよう、図６に示すように突起状の固定部曲げ箇所３３ｃが、それらの出口部３１ｂ及び３１ｃの下端と、平坦部４０ａ及び４０ｂの下端とに、それぞれ設けられている。そして、出口部３１ｂ（または３１ｃ）の下端に設けられた固定部曲げ箇所３３ｃは、図１０に示すように吹出口側側面１ｃとレール部品３６ａ（または３６ｂ）との間に形成されるレール溝３９に、図１０には図示しないが平坦部４０ａ（または平坦部４０ｂ）の下端に設けられた固定部曲げ箇所３３ｃは、内部風路仕切り部品３７とレール部品３６ｃ（または３６ｄ）との間に形成されるレール溝３９に、それぞれ嵌合される。
【００３８】
そのため、給気送風機ユニット９及び排気送風機ユニット１１はスライド方向以外には動かず、スライド時にがたつかないようになっている。
なお、給気送風機ユニット９及び排気送風機ユニット１１は、それらの下端が固定部曲げ箇所３３ｃの下端ではなく、レール部品３６ａ（または３６ｂ）及びレール部品３６ｃ（または３６ｄ）の上面によって支えられている。
【００３９】
以上のように、レール部品３６ａ及び３６ｃで給気送風機ユニット９を、レール部品３６ｂ及び３６ｄで排気送風機ユニット１１を、それぞれ下端から支持し、それらに設けられた２つの固定部曲げ箇所３３は、それぞれに対応するレール溝３９に嵌合されている。
そのため、給気送風機ユニット９及び排気送風機ユニット１１のメンテナンス時において、重量物である給気送風機ユニット９及び排気送風機ユニット１１を手で持ち上げなくても、手前（吹出口側側面１ｃ側）にスライドさせて送風機側開口部１５ａから取り外すことができる。その際、送風機側開口部１５ａは熱交換器１４の出し入れを行うための熱交換器側開口部１６ａとは別に設けられているため、熱交換器１４は取り外さなくて済む。
【００４０】
また、給気送風機ユニット９及び排気送風機ユニット１１は、スライド方向に並んで配置されているため、室内側側面１ａに取り付けられた給気送風機メンテナンスパネル１５を取り外した後で、送風機メンテナンス用のメンテナンス口である１ヶ所の送風機側開口部１５ａから両方とも取り外すことができる。そのため、天井内に別のメンテナンス口を設けなくて済み、熱交換換気装置のメンテナンスを容易に行うことができ、さらには天井の意匠性も損なわずに済む。
【００４１】
メンテナンス後の給気送風機ユニット９及び排気送風機ユニット１１のケーシング１への取り付け作業においても、それらを１ヶ所の送風機側開口部１５ａからスライドさせて押し込むだけで、吸込口側側面１ｂに形成されている室内吹出口３に出口部３１ｂを、同じく吸込口側側面１ｂに形成されている室外吹出口５に出口部３１ｃを、それぞれ密着させて配置することができるため、吹出し空気の漏れを抑えることができる。
【００４２】
また、レール部品３６ａが排気流の吹出し口である室内側吹出開口３ａの近傍に、レール部品３６ｂが給気流の吹出し口である室外側吹出開口５ａの近傍に、それぞれ設けられているため、それらがケーシング１の吹出口側側面１ｃを補強する部品の役目も果たし、熱交換換気装置の外装強度をアップさせることができる。
よって、本実施の熱交換換気装置によれば、メンテナンスの容易性と外装強度アップを実現し、天井の意匠性も損なわずに済む。
【符号の説明】
【００４３】
１  ケーシング、１ａ  室内側側面、１ｂ  吸込口側側面、１ｃ  吹出口側側面、１ｄ  室外側側面、２  室外側吸込口、３  室内側吹出口、３ａ  室内側吹出開口、４  室内側吸込口、５  室外側吹出口、５ａ  室外側吹出開口、６  給気路、６ａ  熱交換器通過前給気路、６ｂ  熱交換器通過後給気路、６ｃ  給気送風機ユニット通過前給気路、６ｄ  給気送風機ユニット通過後給気路、７  排気路、７ａ  熱交換器通過前排気路、７ｂ  熱交換器通過後排気路、７ｃ  排気送風機ユニット通過前排気路、７ｄ  排気送風機ユニット通過後排気路、８  バイパス風路、９  給気送風機ユニット、１０  開閉ダンパー、１１  排気送風機ユニット、１４  熱交換器、１５  給気送風機メンテナンスパネル、１５ａ  送風機側開口部、１６  熱交換器メンテナンスパネル、１６ａ  熱交換器側開口部、１７  排気送風機メンテナンスパネル、３１  スクロールケーシング、３１ａ  ベルマウス部、３１ｂ  （給気風路部品）出口部、３１ｃ  （排気風路部品）出口部、３２  送風機羽根、３３ａ  風路固定部、３３ｂ  送風機モータ固定部、３３ｃ  固定部曲げ箇所、３４ａ  風路部品固定部、３４ｂ  風路部品固定部、３５  送風機モータ、３５ａ  モータ軸、３６ａ  レール部品（レール部品Ａ）、３６ｂ  レール部品（レール部品Ａ）、３６ｃ  レール部品（レール部品Ｂ）、３６ｄ  レール部品（レール部品Ｂ）、３７  内部風路仕切り部品、３８  間隔、３９  レール溝、４０ａ  （給気送風機ユニット）平坦部、４０ｂ  （排気送風機ユニット）平坦部。
【図１】
2014092324.tif 000003
【図２】
2014092324.tif 000004
【図３】
2014092324.tif 000005
【図４】
2014092324.tif 000006
【図５】
2014092324.tif 000007
【図６】
2014092324.tif 000008
【図７】
2014092324.tif 000009
【図８】
2014092324.tif 000010
【図９】
2014092324.tif 000011
【図１０】
2014092324.tif 000012